(57)【要約】  改善された白色の光、色の温度の調節、及び低いグレアを提供するものである小型のＬＥＤの光の源。ライティングデバイスは、後部の表面及び最も少ないときで一つの窓を含むものである壁を有するものである反射性の要素［素子］を具備するが、言われた［上記の］壁及び後部の表面は光のアウトレット、最も少ないときで一つの干渉性のフィルター、及び入射の光の第二の波長のバンドへと第一の波長のバンドを変化させることができるものの発光性のスクリーンを備えた反射性のキャビティを形成するものであるが、言われた［上記の］発光性のスクリーンは反射性の要素の後部の表面へと位置させられたものである。ライティングデバイスは、言われた［上記の］干渉性のフィルターの前方における反射性の要素の外側に位置させられた光の源が、発光性のスクリーンを具備するものである反射性の要素の後部の表面へ向けられた光のビームを放出するものであるために位置決めされたものであることができるところのそのようなものに、配置されたものである。
2012526347.tif 000002
【特許請求の範囲】
【請求項１】
ライティングデバイスであって、
後部の表面及び最も少ないときで一つの窓を含むものである壁を有するものである最も少ないときで一つの反射性の要素、言われた［上記の］壁及び後部の表面が光のアウトレットを備えた反射性のキャビティーを形成するものであること、
最も少ないときで一つの干渉性のフィルター、
入射の光の第二の波長のバンドへと第一の波長のバンドを変化させることができるものの発光性のスクリーン、言われた［上記の］発光性のスクリーンが前記反射性の要素の後部の表面へと位置させられたものであること
：を具備するものであると共に、
それにおいて、前記ライティングデバイスは、言われた［上記の］干渉性のフィルターの前方において前記反射性の要素の外側に位置させられた光の源が、前記発光性のスクリーンを具備するものである前記反射性の要素の後部の表面へ向けられた又は反射させられた光のビームを放出するものであるために位置決めされたものであることができるところのそのようなものに、配置されたものである、ライティングデバイス。
【請求項２】
請求項１のライティングデバイスにおいて、
それにおいて、前記反射性の要素の壁は、干渉性のフィルターが備え付けられた複数の窓を含む、ライティングデバイス。
【請求項３】
請求項１のライティングデバイスにおいて、
それにおいて、各々の干渉性のフィルターは、白色の光を反射させると共に青色の光を伝達する［透過させる］ところの二色性のフィルターである、ライティングデバイス。
【請求項４】
請求項のライティングデバイスにおいて、
それにおいて、前記反射性の要素のアウトレットは、干渉性のフィルターが備え付けられたものである、ライティングデバイス。
【請求項５】
請求項４のライティングデバイスにおいて、
それにおいて、各々の干渉性のフィルターは、青色の光を反射させると共に白色の光を伝達する［透過させる］ところの二色性のフィルターである、ライティングデバイス。
【請求項６】
請求項１のライティングデバイスにおいて、
それにおいて、前記発光性のスクリーンは、蛍燐光体のスクリーンである、ライティングデバイス。
【請求項７】
請求項６のライティングデバイスにおいて、
それにおいて、前記蛍燐光体のスクリーンは、前記反射性の要素の反射させるものである後部の表面に堆積させられたものである、ライティングデバイス。
【請求項８】
請求項１のライティングデバイスにおいて、
それにおいて、それは、さらに、言われた［上記の］複数の光の源を冷却するものであるための最も少ないときで一つの熱的な伝導の要素を具備する、ライティングデバイス。
【請求項９】
請求項８のライティングデバイスにおいて、
それにおいて、前記熱的な伝導の要素は、前記反射性の要素を取り巻く、ライティングデバイス。
【請求項１０】
請求項９のライティングデバイスにおいて、
それにおいて、前記熱的な伝導の要素は、前記光のアウトレットから前記後部の表面まで延びる、ライティングデバイス。
【請求項１１】
請求項９のライティングデバイスにおいて、
それにおいて、前記熱的な伝導の要素の一部分は、これらの光の源が、言われた［上記の］干渉性のフィルターの前方に位置させられた及び概ね前記発光性のスクリーンを具備するものである前記反射性の要素の後部の表面へ向けられた光のビームを放出するものであるために位置決めされたものであるところのそのような方式で、前記複数の光の源をもつために設計されたものである、ライティングデバイス。
【請求項１２】
請求項９のライティングデバイスにおいて、
それにおいて、前記熱的な伝導の要素は、複数のラメラを具備する、ライティングデバイス。
【請求項１３】
請求項１のライティングデバイスであって、
さらに前記干渉性のフィルターの前方に前記反射性の要素の外側に位置させられた及び概ね前記発光性のスクリーンを具備するものである前記反射性の要素の後部の表面へ光のビームを放出するものであるために位置決めされた複数の光の源を具備するものである、ライティングデバイス。
【請求項１４】
請求項１３のライティングデバイスにおいて、
それにおいて、前記複数の光の源は、最も少ないときで部分的に複数の光を放出するものであるダイオード［発光ダイオード］（ＬＥＤ）を具備する、ライティングデバイス。
【請求項１５】
請求項１３のライティングデバイスであって、
さらに各々のＬＥＤの光のアウトレットと関連させられたコリメーターを具備するものである、ライティングデバイス。
【請求項１６】
請求項１のライティングデバイスにおいて、
それにおいて、前記反射性の要素は、ドームの形状を有する、ライティングデバイス。
【発明の詳細な説明】
【技術分野】
【０００１】
発明の分野
発明は、一般的なものにおいて、ある一定のライティング［照明するものであること］を生じさせることの注文において［生じさせるために］決定されたゾーンへ向かってそれを向けなおすための光の源［光源］（例．ＬＥＤ）から提供するものである光を反射させることを許容するところの、例のためにはダウンライトのもののようなそのような、ライティングデバイス［照明するものであるデバイス又は照明デバイス］に関係する。
【背景技術】
【０００２】
発明の背景
それらが、事例のために、白熱のもの、タングステンハロゲンのもの、及び蛍光性のもの、のもののようなそのような最も多い他のランプの形態を取って代わるために十分な個々の発光性の出力を有することさえあるとはいえ、ＬＥＤが増加させられた電気的な効率及びランプの寿命の両方を差し出すところのものは、それは良好に知られたものである。にもかかわらず、ＬＥＤは、例のためには、十分な光の出力を累積するためにＬＥＤのダウンライトのもののようなそのようなライティングデバイスにおいて一緒にグループにされたものであることができる。遠隔の蛍燐光体のＬＥＤのダウンライトは、通常では、最も少ないときでＬＥＤ、ヒートシンク、ミキシングボックス、蛍燐光体のスクリーン、及び拡散体を具備する。
【０００３】
ＵＳ２００７／０２６３３９は、それらが反射体の下部の側に面するところの及びＬＥＤによって放出された光がそれに反射することができるところのそのような方式においてライティングデバイスの中空の反射体に置かれたＬＥＤ及びヒートシンクを具備するものであるそのようなライティングデバイスを開示する。反射体は、さらに、ＬＥＤによって放出された光の波長を変化させるために発光性の材料を含むものである伝達するものである［透過させるものである］プレートが提供された光のアウトレット［出口］を具備する。
【０００４】
内部の積み重ねられた構成部品の高さの総和に等しいもののものである先行の技術の遠隔の蛍燐光体のＬＥＤのダウンライト、先行の技術の遠隔の蛍燐光体のＬＥＤのダウンライトの高さは、より低いダウンライトを要求するものであるシステムにおける問題を引き起こすかもしれないところの際立ったものの高さの値を有する。
【０００５】
その上、これの積み重ねられた構成のおかげで、入力の冷却するものである空気は、他の構成部品によってマスクされたものの理由のために、正しくヒートシンクの鉛直のラメラを通過させるためにある一定の困難を有するものであった。
【０００６】
さらには、先行の技術の遠隔の蛍燐光体のＬＥＤのダウンライトは、目にとって喜ばせるものであるものではないものであると共に色の温度の調節を許容するものではないところの不十分な白色の色及び滑らかなグレアの効果を提供する。
【０００７】
より上に−述べられた限定を克服するために、良好な熱的な散逸、より良好な白色の色、及びグレアの低減を提供するものであると共に二次的に色の温度の調節を許容するものである小型のＬＥＤの光の源についての要望は、存在する。
【先行技術文献】
【特許文献】
【０００８】
【特許文献１】米国特許出願公開第２００７／０２６３３９号
【発明の概要】
【課題を解決するための手段】
【０００９】
発明の概要
従って、後部の表面及び最も少ないときで一つの窓を含むものである壁を有するものである最も少ないときで一つの反射性の要素［素子］、言われた［上記の］壁及び後部の表面が光のアウトレットを備えた反射性のキャビティーを形成するものであること、最も少ないときで一つの干渉性のフィルター、入射の光の第二の波長のバンドへと第一の波長のバンドを変化させることができるものの発光性のスクリーン、言われた［上記の］発光性のスクリーンが反射性の要素の後部の表面へと位置させられたものであることを具備するものであるライティングデバイスを提供することは、それは発明の目的であると共に、それにおいて、ライティングデバイスは、言われた［上記の］干渉性のフィルターの前方における反射性の要素の外側に位置させられた光の源が、発光性のスクリーンを具備するものである反射性の要素の後部の表面へ向けられた光のビームを放出するものであるために位置決めされたものであることができるところのそのようなものに、配置されたものである。
【００１０】
一つの実施形態において、反射性の要素の壁は、干渉性のフィルターが備え付けられた複数の窓を含む。各々の干渉性のフィルターは、白色の光を反射させると共に青色の光を伝達する［透過させる］ところの二色性のフィルターである。
【００１１】
一つの実施形態において、反射性の要素のアウトレットは、干渉性のフィルターが備え付けられたものである。言われた［上記の］干渉性のフィルターは、青色の光を反射させると共に白色の光を伝達する［透過させる］ところの二色性のフィルターである。
【００１２】
発光性のスクリーンは、好ましくは、反射性の要素の反射させるものである後部の表面に堆積させられた蛍燐光体のスクリーンである。
【００１３】
それは、さらに、言われた［上記の］複数の光の源を冷却するものであるための最も少ないときで一つの熱的な伝導の要素を具備する。言われた［上記の］熱的な伝導の要素は、反射性の要素を取り巻くと共に光のアウトレットから後部の表面まで延びる。
【００１４】
一つの実施形態において、熱的な伝導の要素は、これらの光の源が、言われた［上記］干渉性のフィルターの前方に位置させられた及び概ね発光性のスクリーンを具備するものである反射性の要素の後部の表面に向けられた光のビームを放出するものであるために位置決めされたものであるところのそのような方式において、複数の光の源をもつために設計されたものである。
【００１５】
伝導を介した熱の散逸を容易にするために熱的な伝導の要素の表面のエリアを増加させるために、熱的な伝導の要素は、複数のラメラを具備する。
【００１６】
一つの実施形態において、言われた［上記の］ライティングデバイスは、さらに、干渉性のフィルターの前方において反射性の要素の外側に位置させられた及び概ね発光性のスクリーンを具備するものである反射性の要素の後部の表面へ光のビームを放出するものであるために位置決めされた複数の光の源を具備するものである。
【００１７】
複数の光の源は、最も少ないときで部分的に複数の光を放出するものであるダイオード［発光ダイオード］（ＬＥＤ）を具備する。補助的に、それは、さらに、各々のＬＥＤの光のアウトレットと関連させられたコリメーターを具備する。
【００１８】
一つの実施形態において、反射性の要素は、ドームの形状を有する。  
【図面の簡単な説明】
【００１９】
【図１】図１は、本発明に従ったもののライティングデバイスの代表的な実施形態の概略的な断面の図を示す。
【図２】図２は、熱的な伝導の要素を除外した発明に従ったもののライティングの代表的な実施形態の下部の透視図を示す。
【図３】図３は、発明に従ったもののライティングの実施形態のコリメーター、二次的な反射体、及び干渉性のフィルターの組み立て体の下部の透視図を示す。
【図４】図４は、波長の関数における先行の技術のライティングのアウトレットでのエネルギーの分布に対して比較された波長の関数において本発明に従ったもののライティングのアウトレットでのエネルギーの分布を示す。
【図５】図５は、図２に描かれた発明に従ったもののライティングの発光体の外におけるライティングの強度分布を示す。
【図６】図６は、熱的な伝導の要素を除外した発明に従ったものの発光体の代替物の下部の透視図を示す。
【図７】図７は、発明に従ったものの発光体の代替の実施形態の下部の分解透視図を示す。
【図８】図８は、図６及び７に代表された発明に従ったものの発光体の代替の実施形態のコリメーター、二次的な反射体、及び干渉性のフィルターの組み立て体の詳述された下部の透視図を示す。
【図９】図９は、図６から８までに代表された発明に従ったものの代替のライティングデバイスの発光体の外におけるライティングの強度分布を示す。
【図１０】図１０は、熱的な伝導の要素を除外した発明に従ったもののライティングの第二の代替の実施形態の下部の透視図を示す。
【図１１】図１１は、図１０に代表された発明に従ったもののライティングデバイスの第二の代替の実施形態の下部の分解透視図を示す。
【図１２】図１２は、図１０及び１１に代表された発明に従ったもののライティングデバイスの第二の代替の実施形態の裂かれた下部の透視図を示す。
【発明を実施するための形態】
【００２０】
図面の手短な記載
本発明の目的及び利点のさらなる理解をするものであることのために、付随するものである記載及び動作との連結において、後に続くものである図面への参照は、作られた［なされた］ものであるべきであるが、それにおいて：
−  図１は、本発明に従ったもののライティングデバイスの代表的な実施形態の概略的な断面のビュー［図］を示す、
−  図２は、熱的な伝導の要素を除外した発明に従ったもののライティングの代表的な実施形態の下部の透視画法のビュー［透視図］を示す
−  図３は、発明に従ったもののライティングの実施形態のコリメーター、二次的な反射体、及び干渉性のフィルターの組み立て体の下部の透視画法のビュー［透視図］を示す、
−  図４は、波長の機能［関数］における先行の技術のライティングのアウトレットでのエネルギーの分布に対して比較された波長の機能［関数］において本発明に従ったもののライティングのアウトレットでのエネルギーの分布を示す、
−  図５は、図２に描かれた発明に従ったもののライティングの発光体の外におけるライティングの強度分布を示す、
−  図６は、熱的な伝導の要素を除外した発明に従ったものの発光体の代替物の下部の透視画法のビュー［透視図］を示す、
−  図７は、発明に従ったものの発光体の代替の実施形態の爆発させられた下部の透視画法のビュー［下部の分解透視図］を示す、
−  図８は、図６及び７に代表された発明に従ったものの発光体の代替の実施形態のコリメーター、二次的な反射体、及び干渉性のフィルターの組み立て体の詳述された下部の透視画法のビュー［透視図］を示す、
−  図９は、図６から８までに代表された発明に従ったものの代替のライティングデバイスの発光体の外におけるライティングの強度分布を示す、
−  図１０は、熱的な伝導の要素を除外した発明に従ったもののライティングの第二の代替の実施形態の下部の透視画法のビュー［透視図］を示す、
−  図１１は、図１０に代表された発明に従ったもののライティングデバイスの第二の代替の実施形態の爆発させられた下部の透視画法のビュー［下部の分解透視図］を示す、
−  図１２は、図１０及び１１に代表された発明に従ったもののライティングデバイスの第二の代替の実施形態の裂かれた下部の透視画法のビュー［透視図］を示す。
【００２１】
実施形態の詳述された記載
産業における標準的な実践との一致において、様々な特徴は、一定のスケールで描かれたものであるものではないところのことは、それは強調されたものである。事実において、様々な特徴の寸法は、議論の明りょうさのために任意に増加させられた又は低減されたものであることがある。
【００２２】
本発明の理解するものであることを促進するものであることの目的のために、これのテキストにおける発光体の実施形態への参照は、作られた［なされた］ものであるが、それらのいくつかのもののみは、図面に描かれたものである。にもかかわらず、発明の範囲への限定の無いことが、それによって意図されたものであるところのことは、それは理解されたものである。
【００２３】
さらには、描かれた実施形態において、同様の参照数字は、様々な図面における同一の構造的な要素への参照をする。
【００２４】
図１は、本発明に従ったもののライティングデバイス１の一つの実施形態の概略的な断面のビュー［図］であると共に一つのライティングデバイス１の主要な要素を示す。ライティングデバイス１は、後部の表面３及び干渉性のフィルター６が備え付けられた窓５を含むものである壁４を有するものである一つの反射性の要素［素子］２を具備する。壁４及び後部の表面３は、光のアウトレット７を備えた反射性のキャビティーを形成する。ライティングデバイス１は、さらに、反射性の要素２の後部の表面３へと位置させられた発光性のスクリーン８を具備する。発光性のスクリーン８は、入射の光の第二の波長のバンドへと第一の波長のバンドを変化させることができるものである。ライティングデバイス１は、さらに、光の源９が、発光性のスクリーン８を具備するものである反射性の要素２の後部の表面３へ向けられた光のビームを放出することができるところのそのような様式において、干渉性のフィルター６の前方における反射性の要素２の外側に位置させられた光の源９を具備する。
【００２５】
これの実施形態において、光の源９は、コリメーター１１及び二次的な反射体１２へ結合させられた、光を放出するものであるダイオード［発光ダイオード］１０、ＬＥＤ、及び、より多い好ましくは、青色のＬＥＤである。
【００２６】
その上、発光性のスクリーン８は、都合良くは反射性の要素２の反射させるものである後部の表面３に堆積させられた、蛍燐光体のスクリーンであるが、そのところのものは、白色の光へと青色の入射の光を変化させる。各々の干渉性のフィルター６は、白色の光を反射させると共に青色の光を伝達する［透過させる］ところの二色性のフィルターである。
【００２７】
これの実施形態において、反射性の後部の表面３は、平面の表面である；にもかかわらず、反射性の後部の表面３が、発明の範囲の逸脱するものであることなしに、凸状の又は凹状の表面を有することがあるところのことは、それは理解されたものである。
【００２８】
さらには、発明に従ったもののライティングデバイス１は、反射性の要素２を取り巻くところの熱的な伝導の要素［素子］１３を具備する。熱的な伝導の要素１３は、光のアウトレット７から反射性の要素２の後部の表面３まで延びる。
【００２９】
熱的な伝導の要素１３の一部分は、これらの光の源９が、干渉性のフィルター６の前方に位置させられた及び概ね発光性のスクリーン８を具備するものである反射性の要素２の後部の表面３へ向けられた光のビームを放出するものであるために位置決めされたものであるところのそのような方式において、複数の光の源９をもつために設計されたものである。
【００３０】
光の源９が、発明の範囲の逸脱するものであることなしに反射性の要素２及び／又は熱的な伝導の要素１３へ結合させられた媒介の要素によってあごひげ［もたれたもの］であることができると思われるところのことは、それは自明なものである。
【００３１】
その上、熱的な伝導の要素１３は、複数のラメラを具備する。ラメラは、矢印ａによって代表された転換を経由したものの熱の散逸を容易にするために熱的な伝導の要素１３の表面のエリア［表面積］を増加させるために含まれたものである。熱的な伝導の要素１３は、通常では、アルミニウムのもので作られたものであるが、しかし、ＬＥＤによって発生させられた熱を吸収するものであること及び環境へそれを散逸させるものであることが可能ないずれの適切な材料のものでも作られたものであることができる。熱的な伝導の要素１３は、また、例のために、形成されたシート−金属の一部分又はダイカストから構築されたものであることができると思われる。
【００３２】
反射性の要素２及び光の源９を取り巻くものである熱的な伝導の要素１３の位置が、実質的に、先行の技術のライティングデバイスの高さに対して比較されたライティングデバイス１の高さを低減するところのことは、それは留意されたものであるべきである。
【００３３】
光の源９のＬＥＤによって放出された青色の光は、窓５及び青色の放射を伝達するものであると共に青色のものと比べて波長においてより高い放射を反射させるものである干渉性のフィルター６を通過する。青色の光が、蛍燐光体のスクリーン８を到達するとき、言われた［上記の］蛍燐光体のスクリーン８は、反射性の要素２の後部の表面３によって反射させられたものであるところの白色の光へと主要な入射の青色の光を変形する［変換する］。その結果として、白色の光は、下方に向けなおされたものであるが、反射性の要素２の壁４に及び白色の光を反射させると共に青色の光を伝達する［透過させる］ところの干渉性のフィルター６の内部の表面にそれ自体を反射させるものであると共に、光のアウトレット７から下に落ちる。光の源９によって放出された青色の光の小さいものの部分のみは、蛍燐光体のスクリーン８によって反射させられたものである。言われた［上記の］反射させられた青色の光は、再度、干渉性のフィルター６、白色の光を反射させるものであると共に青色の光を伝達する［透過させる］ものである干渉性のフィルター６の内部の表面、を通過することがある。青色の光の比は、反射性の要素２の反射性の表面及び干渉性のフィルター６の内部の表面の、表面の比によって調節されたものであることができる。
【００３４】
各々のＬＥＤ１０の光のアウトレットと関連させられたコリメーター１１の曲率の外部の半径を調節するものであることによって、即ち、コリメーター１１の収束を調節するものであることによって、より多いものの又はより少ないものの［多かれ少なかれ］大きいものの穴における喪失［損失］無しに光の通過を許容するものである干渉性のフィルター６の表面を調節することは、それは可能性のあるものである。これの方式によって、発明に従ったもののライティングデバイスは、青色の放射の後部の部分を移動させるものであることによって白色の色を増加させる。
【００３５】
その上、干渉性のフィルター６とのビームの平均的な入射の角度を増加させるものであることによって、色の温度の減少を提供するものである高いものの波長におけるフィルターのパスバンド［通過帯域］を移動させることは、それは可能性のあるものであるところのことは、それは留意されたものであるべきである。
【００３６】
図１に描かれたこれの実施形態において、各々のＬＥＤ１０と関連させられたコリメーター１１の軸は、干渉性のフィルター６と角度θを形成する。コリメーター１１の軸が、コリメーター１１の軸が、角度θと比べてより低いものの角度を形成するところのそのような様式において、矢印ａの方向においてチルトさせられたものである（図１）とき、結論のようなものとして、発光体の色の温度を減少させることを有するものであるより高いものの波長においてフィルターのパスバンドを移動させることは、それは可能性のあるものである。
【００３７】
二次的に、反射性の要素２の後部の表面３へと位置決めされた蛍燐光体のスクリーン８への感謝［のおかげ］で、ライティングデバイスの必要な低いもののグレアは、反射性の要素２の壁４によって保存された［保たれた］ものである。
【００３８】
図２は、平面の後部の表面３及び窓５を含むものである壁４を含むものであるドームの形状を有するものである一つの反射性の要素を具備するところのライティングデバイスの一つの実施形態の下部の透視画法のビュー［透視図］である。言われた［上記の］窓は、楕円形の形状を贈呈する［与える］と共に、規則的に反射性の要素２の底部で外へ間隔を空けられた［並べられた］ものである。壁４及び後部の表面３は、光のアウトレット７を備えた反射性のキャビティーを形成する。
【００３９】
ライティングデバイス１は、さらに、反射性の要素２の後部の表面３へと位置させられた発光性のスクリーン８を具備する。発光性のスクリーン８は、入射の光の第二の波長のバンドへと第一の波長のバンドを変化させることができるものである。発光性のスクリーン８は、都合良くは反射性の要素２の反射させるものである後部の表面３に堆積させられた、蛍燐光体のスクリーンであるが、そのとこのものは、白色の光へと青色の入射の光を変化させる。
【００４０】
ライティングデバイス１は、さらに、光の源９が、発光性のスクリーン８を具備するものである反射性の要素２の後部の表面３へ向けられた光のビームを放出することができるところのそのような様式において、窓５の前方における反射性の要素２の外側に位置させられた光の源９を具備する。
【００４１】
これの実施形態において、図２及び３へ参照をするものであると、光の源９は、コリメーター１１及び二次的な反射体１２へ結合させられた、光を放出するものであるダイオード［発光ダイオード］１０、ＬＥＤ、及び、より多い特定して、青色のＬＥＤ、である。白色の光を反射させると共に青色の光を伝達する［透過させる］ところの二色性のフィルターにおいてからなる［存する］ものである干渉性のフィルター６は、言われた［上記の］コリメーター及び二次的な反射体１２の間における、各々のコリメーター１１のアウトレットに位置決めされたものである。
【００４２】
自由選択で、ＬＥＤの一つのもの又は一部分のみは、青色の光を放出すると共に、ＬＥＤの別の部分は、最も少ないときで別の色（例．赤色、緑色、琥珀色）を放出する。これの具体的な実施形態において、一つのもの［ある者］は、別の色のこれらのＬＥＤのコリメーター１１及び対応するものである二次的な反射体１２の間にいずれの干渉性のフィルター６を提供するものであることも無いことを選ぶことがある。これの実施形態は、発光体を出力するものである白色の色の本性を変化させるものであること（例．冷たいものから温かいものの白色まで）又はわずかに光の出力の色を変更するものであることのようなもののそのような、ある一定の光の効果を到達するために光の設計者が異なるものの放出された色を混ぜることを許容する。
【００４３】
これの実施形態において、熱的な伝導の要素が、描かれたものであるものではないところのものは、それは留意されたものであるべきである。にもかかわらず、熱的な伝導の要素は、反射性の要素２を取り巻くところの管状の形状を有することができると思われるが、言われた［上記の］熱的な伝導の形状が例のためにはラジアルな［径方向の又は放射状の］ラメラを含むものである。熱的な伝導の要素は、光のアウトレット７から反射性の要素２の後部の表面３まで延びるべきである。
【００４４】
図４へ参照するものであると、発明に従ったもののライティングデバイスの構築は、１，４％［１．４％］のルーメンの量から低減するところのスペクトル３８０−４８０のバンドからの取り除くものであることを提供する。
【００４５】
これの実施形態において、ライティングデバイスは、二十−八［二十八個］の窓を具備する。
【００４６】
表面の単位による同じものの分量のフラックスが、反射性の要素２の全ての反射性の表面に落ちると共に干渉性のフィルター６にそうではないところのことを考慮するものであると、反射性の要素の表面は、１５４２０ｍｍ２［ｍｍ２］に等しいものである、各々のコリメーターの出力の表面は、１１２．５ｍｍ２に等しいものであると共に、干渉性の窓の合計の表面は、３１５０ｍｍ２［ｍｍ２］（１１２，５ｍｍ２［１１２．５ｍｍ２］×２８）に等しいものである。反射性の要素２の表面及び干渉性の窓の合計の表面の間における比は、４，８９［４．８９］（１５４２０ｍｍ２［ｍｍ２］／３１５０ｍｍ２［ｍｍ２］）に等しいものである。その結果として、干渉性の窓のせいによるものの解放［喪失又は損失］は、０，２８％［０．２８％］（１，４％［１．４％］／４，８９［４．８９］）に等しいものである。合計のスペクトルを反射させるものである表面は、干渉性の処置［処理］を備えた表面と比べて４，８９時間［４．８９倍］より多い重要なものである。
【００４７】
その上、図５へ参照をするものであると、ユニファイドグレアレーティング［統一されたグレアの各付け］（ＵＧＲ）４Ｈ／８Ｈ  ７５２は、ヨーロピアンノルム［欧州の規範］ＥＮ  １３０３２に従ったものの２１．９に等しいものであると共に、蛍燐光体のスクリーン及びアウトレットの間における光学的な効率は、１２４６Ｌｍのベース［基礎］について９１，５％［９１．５％］に等しいものである（蛍燐光体のスクリーンの外のフラックス）。
【００４８】
図６から８までは、平面の後部の表面３及び窓５を含むものである壁４を含むものであるドームの形状を有するものである一つの反射性の要素２を具備するところのライティングデバイスの別の実施形態の透視画法のビュー［透視図］である。言われた［上記の］窓５は、楕円形の形状を贈呈する［与える］と共に反射性の要素２のまん中の部分において各々他のものと［相互に］隣接の一つのものである。壁４及び後部の表面３は、光のアウトレット７を備えた反射性のキャビティーを形成する。
【００４９】
ライティングデバイス１は、さらに、反射性の要素２の後部の表面３へと位置させられた発光性のスクリーン８を具備する。発光性のスクリーン８は、入射の光の第二の波長のバンドへと第一の波長のバンドを変化させることができるものである。発光性のスクリーン８は、都合良くは反射性の要素２の反射させるものである後部の表面３に堆積させられた、蛍燐光体のスクリーンであるが、それのものは、白色の光へと青色の入射の光を変化させる。
【００５０】
ライティングデバイス１は、さらに、光の源９が発光性のスクリーン８を具備するものである反射性の要素２の後部の表面３へ向けられた光のビームを放出することができるところのそのような様式において、窓５の前方における反射性の要素２の外側に位置させられた光の源９を具備する。
【００５１】
これの実施形態において、図６から８までへ参照をするものであると、光の源９は、コリメーター１１及び二次的な反射体１２へ結合させられた、光を放出するものであるダイオード［発光ダイオード］１０、ＬＥＤ、及びより多い特定して青色のＬＥＤ、である。白色の光を反射させると共に青色の光を伝達する［透過させる］ところの二色性のフィルターにおけるものからなるものである［存するものである］干渉性のフィルター６は、各々の窓５が干渉性のフィルター６が備え付けられたものであるところのそのような様式において、各々の二次的な反射体１２のアウトレットに位置決めされたものである。
【００５２】
自由選択で、ＬＥＤの一つのもの又は一部分のみは、青色の光を放出すると共に、ＬＥＤの別の部分は、最も少ないときで別の色（例．赤色、緑色、琥珀色）を放出する。これの具体的な実施形態において、一つのもの［ある者］は、別の色のこれらのＬＥＤのコリメーター１１及び対応するものである二次的な反射体１２の間にいずれの干渉性のフィルター６を提供するものであることも無いものを選ぶことがある。これの実施形態は、発光体を出力するものである白色の色の本性を変化させるものであること（例．冷たいものから温かいものの白色まで）又はわずかに光の出力の色を変更するものであることのようなもののそのような、ある一定の光の効果を到達するために光の設計者が異なるものの放出された色を混ぜることを許容する。
【００５３】
これの実施形態において、熱的な伝導の要素が、描かれたものであるものではないところのものは、それは留意されたものであるべきである。にもかかわらず、熱的な伝導の要素は、反射性の要素２を取り巻くところの管状の形状を有するものであることができると思われるが、言われた［上記の］熱的な伝導の要素が例のためにはラジアルな［径方向の又は放射状の］ラメラを含むものである。熱的な伝導の要素は、光のアウトレット７から反射性の要素２の後部の表面３まで延びるべきである。
【００５４】
図４へ参照をするものであると、発明に従ったもののライティングデバイスの構築は、１，４％［１．４％］のルーメンの量から低減するところのスペクトルの３８０−４８０のバンドから取り除くものであることを提供する。
【００５５】
これの実施形態において、ライティングデバイスは、二十−八［二十八個］の窓を具備する。
【００５６】
表面の単位によるフラックスの同じものの分量が、反射性の要素２の全ての反射性の表面に、及び、干渉性のフィルター６にではないものに、落ちるところのものを考慮するものであると、反射性の要素の表面は、１０８４６，５ｍｍ２［１０８４６．５ｍｍ２］（１５４２０−４５７３，５ｍｍ２［１５４２０−４５７３．５ｍｍ２］）に等しいものであると共に、各々のコリメーターの出力の表面は、１６３．３４ｍｍ２［ｍｍ２］に等しいものであると共に、干渉性の窓の合計の表面は、４５７３，５ｍｍ２［４５７３．５ｍｍ２］（１６３，３４ｍｍ２［１６３．３４ｍｍ２］×２８）に等しいものである。反射性の要素２の表面及び干渉性の窓の合計の表面の間における比は、２，３７［２．３７］（１０８４６，５ｍｍ２［１０８４６．５ｍｍ２］／３１５０ｍｍ２［ｍｍ２］）に等しいものである。その結果として、干渉性の窓のせいによるものの解放［喪失又は損失］は、０，５９％［０．５９％］（１，４％［１．４％］／２，３７［２．３７］）に等しいものである。合計のスペクトルを反射するものである表面は、干渉性の処置［処理］を備えた表面と比べて２．３７時間［倍］より多い重要なものである。
【００５７】
その上、図９への参照をするものであると、ユニファイドグレアレーティング［統一されたグレアの各付け］（ＵＧＲ）４Ｈ／８Ｈ  ７５２は、ヨーロピアンノルム［欧州の規範］ＥＮ  １３０３２に従ったものの２１．０に等しいものであると共に、蛍燐光体のスクリーン及びアウトレットの間における光学的な効率は、１２４６Ｌｍのベース［基礎］について９４％に等しいものである（蛍燐光体のスクリーンの外のフラックス）。
【００５８】
図１０から１２までは、平面の後部の表面３及び窓５を含むものである壁４を含むものであるドームの形状を有するものである一つの反射性の要素２を具備するところのライティングデバイスの別の実施形態の透視画法のビュー［透視図］である。言われた［上記の］窓５は、楕円形の形状を贈呈する［与える］と共に、反射性の要素２の下部で各々他のものとの［相互に］隣接の一つのものである。壁４及び後部の表面３は、光のアウトレット７を備えた反射性のキャビティーを形成する。
【００５９】
ライティングデバイス１は、さらに、反射性の要素２の後部の表面３へと位置させられた発光性のスクリーン８を具備する。発光性のスクリーン８は、入射の光の第二の波長のバンドへと第一の波長のバンドを変化させることができるものである。発光性のスクリーン８は、都合良くは反射性の要素２の反射させるものである後部の表面３に堆積させられた、蛍燐光体のスクリーンであるが、そのところのものは、白色の光へと青色の入射の光を変化させる。
【００６０】
ライティングデバイス１は、さらに、光の源９が発光性のスクリーン８を具備するものである反射性の要素２の光のアウトレット７へ向けられた光のビームを放出することができるところのそのような様式において、窓５の前方における反射性の要素２の外側に位置させられた光の源９を具備する。
【００６１】
これの実施形態において、図１０から１２までへの参照をするものであると、光の源９は、コリメーター１１及び二次的な反射体１２へ結合させられた、光を放出するものであるダイオード［発光ダイオード］１０、ＬＥＤ、及びより多い特定して青色のＬＥＤ、である。
【００６２】
自由選択で、ＬＥＤの一つのもの又は一部分のみは、青色の光を放出すると共に、ＬＥＤの別の部分は、最も少ないときで別の色（例．赤色、緑色、琥珀色）を放出する。これの実施形態は、発光体を出力するものである白色の色の本性を変化させるものであること（例．冷たいものから温かいものの白色まで）又はわずかに光の出力の色を変更するものであることのようなもののそのような、ある一定の光の効果を到達するために光の設計者が異なるものの放出された色を混ぜることを許容する。
【００６３】
青色の光を反射させると共に白色の光を伝達する［透過させる］ところの二色性のフィルターにおけるものからなるものである［存するものである］干渉性のフィルター６は、反射性の要素２の光のアウトレット７で位置決めされたものである。
【００６４】
これの実施形態において、熱的な伝導の要素が、描かれたものであるものではないところのものは、それは留意されたものであるべきである。にもかかわらず、熱的な伝導の要素は、反射性の要素２を取り巻くところの管状の形状を有することができると思われるが、言われた［上記の］熱的な伝導の形状が例のためにはラジアルな［径方向の又は放射状の］ラメラを含むものである。熱的な伝導の要素は、光のアウトレット７から反射性の要素２の後部の表面３まで延びるべきである。
【００６５】
本発明の実施形態が、詳細なものにおいて記載されたものであることを有する［記載されてきたものである］とはいえ、技術において熟練させられたそれらのもの［当業者］は、それらが、本開示の趣旨及び範囲から逸脱するものであること無しにここにおいて様々な変化、置換、及び改変を作る［なす］ことがあるところのものを理解するべきである。それに応じて、全てのそのような変化、置換、及び改変は、後に続くものである請求項において定義されたもののような、本開示の範囲内に含まれたものであることが意図されたものである。
【図１】
2012526347.tif 000003
【図２】
2012526347.tif 000004
【図３】
2012526347.tif 000005
【図４】
2012526347.tif 000006
【図５】
2012526347.tif 000007
【図６】
2012526347.tif 000008
【図７】
2012526347.tif 000009
【図８】
2012526347.tif 000010
【図９】
2012526347.tif 000011
【図１０】
2012526347.tif 000012
【図１１】
2012526347.tif 000013
【図１２】
2012526347.tif 000014
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
照明するものであるデバイスであって、
後部の表面及び最も少ないときで一つの窓を含むものである壁を有するものである最も少ないときで一つの反射性の素子、上記の壁及び後部の表面が光のアウトレットを備えた反射性のキャビティーを形成するものであること、
前記最も少ないときで一つの窓を備え付けるものである最も少ないときで一つの干渉性のフィルター、
入射の光の第二の波長のバンドへと第一の波長のバンドを変化させることができるものの発光性のスクリーン、上記の発光性のスクリーンが前記反射性の素子の後部の表面へと位置させられたものであること、
上記の窓の前方において前記反射性の素子の外側に及びそれのまわりに位置させられた光の源が前記発光性のスクリーンを具備するものである前記反射性の素子の後部の表面へ向けられた又は反射させられた光のビームを放出するものであるために位置決めされたものであること
：を具備するものである、照明するものであるデバイス。
【請求項２】
請求項１の照明するものであるデバイスにおいて、
それにおいて、前記反射性の素子の壁は、干渉性のフィルターが備え付けられた複数の窓を含む、照明するものであるデバイス。
【請求項３】
請求項１の照明するものであるデバイスにおいて、
それにおいて、各々の干渉性のフィルターは、青色の光を透過させると共に白色の光の他の構成成分を反射させるところの二色性のフィルターである、照明するものであるデバイス。
【請求項４】
請求項の照明するものであるデバイスにおいて、
それにおいて、前記反射性の素子の光のアウトレットは、干渉性のフィルターが備え付けられたものである、照明するものであるデバイス。
【請求項５】
請求項４の照明するものであるデバイスにおいて、
それにおいて、各々の干渉性のフィルターは、青色の光を反射させると共に白色の光の他の構成成分を透過させるところの二色性のフィルターである、照明するものであるデバイス。
【請求項６】
請求項１の照明するものであるデバイスにおいて、
それにおいて、前記発光性のスクリーンは、蛍燐光体のスクリーンである、照明するものであるデバイス。
【請求項７】
請求項６の照明するものであるデバイスにおいて、
それにおいて、前記蛍燐光体のスクリーンは、前記反射性の素子の反射させるものである後部の表面に堆積させられたものである、照明するものであるデバイス。
【請求項８】
請求項１の照明するものであるデバイスにおいて、
それにおいて、それは、さらに、上記の複数の光の源を冷却するものであるための最も少ないときで一つの熱的な伝導の素子を具備する、照明するものであるデバイス。
【請求項９】
請求項８の照明するものであるデバイスにおいて、
それにおいて、前記熱的な伝導の素子は、前記反射性の素子を取り巻く、照明するものであるデバイス。
【請求項１０】
請求項９の照明するものであるデバイスにおいて、
それにおいて、前記熱的な伝導の素子は、前記光のアウトレットから前記後部の表面まで延びる、照明するものであるデバイス。
【請求項１１】
請求項９の照明するものであるデバイスにおいて、
それにおいて、前記熱的な伝導の素子の一部分は、これらの光の源が、上記の干渉性のフィルターの前方に位置させられた及び概ね前記発光性のスクリーンを具備するものである前記反射性の素子の後部の表面へ向けられた光のビームを放出するものであるために位置決めされたものであるところのそのような方式で、前記複数の光の源をもつために設計されたものである、照明するものであるデバイス。
【請求項１２】
請求項９の照明するものであるデバイスにおいて、
それにおいて、前記熱的な伝導の素子は、複数のラメラを具備する、照明するものであるデバイス。
【請求項１３】
請求項１の照明するものであるデバイスであって、
さらに前記干渉性のフィルターの前方に前記反射性の素子の外側に位置させられた及び概ね前記発光性のスクリーンを具備するものである前記反射性の素子の後部の表面へ光のビームを放出するものであるために位置決めされた複数の光の源を具備するものである、照明するものであるデバイス。
【請求項１４】
請求項１３の照明するものであるデバイスにおいて、
それにおいて、前記複数の光の源は、最も少ないときで部分的に複数の光を放出するものであるダイオード（ＬＥＤ）を具備する、照明するものであるデバイス。
【請求項１５】
請求項１３の照明するものであるデバイスであって、
さらに各々のＬＥＤの光のアウトレットと関連させられたコリメーターを具備するものである、照明するものであるデバイス。
【請求項１６】
請求項１の照明するものであるデバイスにおいて、
それにおいて、前記反射性の素子は、ドームの形状を有する、照明するものであるデバイス。
【手続補正２】
【補正対象書類名】明細書
【補正対象項目名】００６５
【補正方法】変更
【補正の内容】
【００６５】
本発明の実施形態が、詳細なものにおいて記載されたものであることを有する［記載されてきたものである］とはいえ、技術において熟練させられたそれらのもの［当業者］は、それらが、本開示の趣旨及び範囲から逸脱するものであること無しにここにおいて様々な変化、置換、及び改変を作る［なす］ことがあるところのものを理解するべきである。それに応じて、全てのそのような変化、置換、及び改変は、後に続くものである請求項において定義されたもののような、本開示の範囲内に含まれたものであることが意図されたものである。
［付記］
付記（１）：
ライティングデバイスであって、
後部の表面及び最も少ないときで一つの窓を含むものである壁を有するものである最も少ないときで一つの反射性の要素、言われた［上記の］壁及び後部の表面が光のアウトレットを備えた反射性のキャビティーを形成するものであること、
最も少ないときで一つの干渉性のフィルター、
入射の光の第二の波長のバンドへと第一の波長のバンドを変化させることができるものの発光性のスクリーン、言われた［上記の］発光性のスクリーンが前記反射性の要素の後部の表面へと位置させられたものであること
：を具備するものであると共に、
それにおいて、前記ライティングデバイスは、言われた［上記の］干渉性のフィルターの前方において前記反射性の要素の外側に位置させられた光の源が、前記発光性のスクリーンを具備するものである前記反射性の要素の後部の表面へ向けられた又は反射させられた光のビームを放出するものであるために位置決めされたものであることができるところのそのようなものに、配置されたものである、ライティングデバイス。
付記（２）：
付記（１）のライティングデバイスにおいて、
それにおいて、前記反射性の要素の壁は、干渉性のフィルターが備え付けられた複数の窓を含む、ライティングデバイス。
付記（３）：
付記（１）のライティングデバイスにおいて、
それにおいて、各々の干渉性のフィルターは、白色の光を反射させると共に青色の光を伝達する［透過させる］ところの二色性のフィルターである、ライティングデバイス。
付記（４）：
付記のライティングデバイスにおいて、
それにおいて、前記反射性の要素のアウトレットは、干渉性のフィルターが備え付けられたものである、ライティングデバイス。
付記（５）：
付記（４）のライティングデバイスにおいて、
それにおいて、各々の干渉性のフィルターは、青色の光を反射させると共に白色の光を伝達する［透過させる］ところの二色性のフィルターである、ライティングデバイス。
付記（６）：
付記（１）のライティングデバイスにおいて、
それにおいて、前記発光性のスクリーンは、蛍燐光体のスクリーンである、ライティングデバイス。
付記（７）：
付記（６）のライティングデバイスにおいて、
それにおいて、前記蛍燐光体のスクリーンは、前記反射性の要素の反射させるものである後部の表面に堆積させられたものである、ライティングデバイス。
付記（８）：
付記（１）のライティングデバイスにおいて、
それにおいて、それは、さらに、言われた［上記の］複数の光の源を冷却するものであるための最も少ないときで一つの熱的な伝導の要素を具備する、ライティングデバイス。
付記（９）：
付記（８）のライティングデバイスにおいて、
それにおいて、前記熱的な伝導の要素は、前記反射性の要素を取り巻く、ライティングデバイス。
付記（１０）：
付記（９）のライティングデバイスにおいて、
それにおいて、前記熱的な伝導の要素は、前記光のアウトレットから前記後部の表面まで延びる、ライティングデバイス。
付記（１１）：
付記（９）のライティングデバイスにおいて、
それにおいて、前記熱的な伝導の要素の一部分は、これらの光の源が、言われた［上記の］干渉性のフィルターの前方に位置させられた及び概ね前記発光性のスクリーンを具備するものである前記反射性の要素の後部の表面へ向けられた光のビームを放出するものであるために位置決めされたものであるところのそのような方式で、前記複数の光の源をもつために設計されたものである、ライティングデバイス。
付記（１２）：
付記（９）のライティングデバイスにおいて、
それにおいて、前記熱的な伝導の要素は、複数のラメラを具備する、ライティングデバイス。
付記（１３）：
付記（１）のライティングデバイスであって、
さらに前記干渉性のフィルターの前方に前記反射性の要素の外側に位置させられた及び概ね前記発光性のスクリーンを具備するものである前記反射性の要素の後部の表面へ光のビームを放出するものであるために位置決めされた複数の光の源を具備するものである、ライティングデバイス。
付記（１４）：
付記（１３）のライティングデバイスにおいて、
それにおいて、前記複数の光の源は、最も少ないときで部分的に複数の光を放出するものであるダイオード［発光ダイオード］（ＬＥＤ）を具備する、ライティングデバイス。
付記（１５）：
付記（１３）のライティングデバイスであって、
さらに各々のＬＥＤの光のアウトレットと関連させられたコリメーターを具備するものである、ライティングデバイス。
付記（１６）：
付記（１）のライティングデバイスにおいて、
それにおいて、前記反射性の要素は、ドームの形状を有する、ライティングデバイス。
【国際調査報告】
2012526347.tif 000015
2012526347.tif 000016
2012526347.tif 000017
2012526347.tif 000018
2012526347.tif 000019